(57)【要約】【課題】サイズの異なる複数のレンズ鏡筒に対応して、邪魔にならない適切な紐長さで、レンズキャップをカメラ本体側に保持することが可能なレンズキャップ用紐を提供する。【解決手段】紐本体１１と、紐本体１１をレンズキャップ２０に固定するための基端部１１ａと、紐本体１１をカメラ３０側に取り付けるための先端ループ部１１ｂと、基端部１１ａから先端ループ部１１ｂのカメラ側取付位置までの紐本体１１の長さを調整するための調整機構１２Ａと、を備えたレンズキャップ用紐１０Ａ。【選択図】図１
0003194022.tif 000002
【実用新案登録請求の範囲】
【請求項１】
レンズキャップをカメラ側に取り付けるためのレンズキャップ用紐であって、
紐本体と、
前記紐本体を前記レンズキャップに固定するための基端部と、
前記紐本体を前記カメラ側に取り付けるための先端ループ部と、
前記基端部から前記先端ループ部のカメラ側取付位置までの前記紐本体の長さを調整するための調整機構と、
を備えたことを特徴とするレンズキャップ用紐。
【請求項２】
前記基端部および前記先端ループ部は前記紐本体に設けられており、
前記調整機構は、前記紐本体に対する係止位置を変更可能であって、該係止位置を変更することにより前記先端ループ部の長さを変更する係止部材であることを特徴とする請求項１に記載のレンズキャップ用紐。
【請求項３】
前記調整機構は、前記基端部と前記先端ループ部との間において、前記紐本体に設けられた、引張力を受けて伸張し、引張力がないと自然長に復帰する伸縮部であることを特徴とする請求項１に記載のレンズキャップ用紐。
【請求項４】
前記基端部と前記先端ループ部との少なくとも一方は前記紐本体に設けられており、
前記調整機構は、前記紐本体を巻き取る巻取機構であることを特徴とする請求項１に記載のレンズキャップ用紐。
【請求項５】
前記基端部は、前記紐本体とは別体であって、前記レンズキャップに固定されており、
前記紐本体は、前記先端ループ部を兼ねていて、長さが異なる複数が設けられており、
前記調整機構は、複数の前記先端ループ部にそれぞれ設けられ、前記基端部に対して前記先端ループ部を着脱可能に取り付けるための取付部材であることを特徴とする請求項１に記載のレンズキャップ用紐。
【考案の詳細な説明】
【技術分野】
【０００１】
本考案は、レンズキャップをカメラ側に取り付けるためのレンズキャップ用紐に関する。
【背景技術】
【０００２】
カメラのレンズ鏡筒を被覆して保護するためのレンズキャップは、従来より種々のものが提案されている。
【０００３】
レンズキャップとして、例えば、皮革（人工皮革等も含む）を成型して作成した革製のレンズキャップが製品化されている。こうした革製のレンズキャップは、レンズ鏡筒の先端面および、周面の少なくとも一部を覆うものとなっていて、高級感があり、ファッション性にも優れている特長がある。
【０００４】
カメラにより撮影を行うときにはレンズキャップをレンズ鏡筒から取り外すことになるが、取り外したときに紛失するのを防止するために、紐等を用いてレンズキャップをカメラボディー本体やカメラ用ストラップ等に保持することができるように構成されたものがある。
【０００５】
例えば、図６は、従来のレンズキャップ用紐９０の構成の一例を示す図である。
【０００６】
このレンズキャップ用紐９０は、紐本体９１の基端部９１ａがレンズキャップ２０の紐固定部２１に固定されており、先端部９１ｂにはフック等の金具でなる取付部材９２が設けられている。そして、取付部材９２側を例えばストラップ取付金具３２に取り付けられたカメラ用ストラップ４０に挿通した後に、取付部材９２を紐本体９１に掛けてループを作ることにより、レンズキャップ２０がカメラ３０から脱落するのを防止する構成となっている。
【０００７】
ところで、一眼カメラに採用されていることが多い交換式のレンズ鏡筒は、焦点距離、ズーム倍率、開放Ｆ値等に応じてサイズが異なり、特に光軸方向の長さが異なっている。このために、一眼カメラのレンズキャップは、保持用の紐が付いておらずレンズ鏡筒の先端に保持されるだけのものが多い。
【考案の概要】
【考案が解決しようとする課題】
【０００８】
上述したような革製のレンズキャップは、プラスチック等で形成された一般的なレンズキャップ（先端のレンズ面のみを保護するためのレンズキャップ）と比べてサイズが大きいために、衣服のポケットに収納するのはかさばって難しく、バッグ等に収納するのは手間がかかって面倒であり、しかも価格が比較的高価であることから紛失を極力避けなければならず、紐等を用いてカメラに保持することが望ましい。そして、レンズキャップは、サイズが異なる複数のレンズ鏡筒に対して共通に使用可能であることが好ましい。
【０００９】
しかしながら、図６に示したような従来のレンズキャップ用紐９０では、小型のレンズ鏡筒に合わせて紐本体９１の長さを決定すると、大型のレンズ鏡筒に交換した際にレンズキャップ２０をレンズ鏡筒に装着することができなくなってしまう。そこで、大型のレンズ鏡筒に合わせて紐本体９１の長さを決定することになるが、この場合には、取付部材９２は紐本体９１の特定位置に係止されるわけではないために、小型のレンズ鏡筒に交換してレンズキャップ２０を装着したときにレンズキャップ用紐９０に弛みが生じて、非撮影時に持ち運ぶ際に邪魔になってしまう。
【００１０】
本考案は上記事情に鑑みてなされたものであり、サイズの異なる複数のレンズ鏡筒に対応して、邪魔にならない適切な紐長さで、レンズキャップをカメラ本体側に保持することが可能なレンズキャップ用紐を提供することを目的としている。
【課題を解決するための手段】
【００１１】
本考案のある態様によるレンズキャップ用紐は、レンズキャップをカメラ側に取り付けるためのレンズキャップ用紐であって、紐本体と、前記紐本体を前記レンズキャップに固定するための基端部と、前記紐本体を前記カメラ側に取り付けるための先端ループ部と、前記基端部から前記先端ループ部のカメラ側取付位置までの前記紐本体の長さを調整するための調整機構と、を備えている。
【考案の効果】
【００１２】
本考案のレンズキャップ用紐によれば、サイズの異なる複数のレンズ鏡筒に対応して、邪魔にならない適切な紐長さで、レンズキャップをカメラ本体側に保持することが可能となる。
【図面の簡単な説明】
【００１３】
【図１】本考案の実施形態１におけるレンズキャップ用紐の構成を示す図。
【図２】本考案の実施形態２におけるレンズキャップ用紐の構成を示す図。
【図３】本考案の実施形態３におけるレンズキャップ用紐の構成を示す図。
【図４】本考案の実施形態４におけるレンズキャップ用紐の構成を示す図。
【図５】本考案の実施形態５におけるレンズキャップ用紐の構成を示す図。
【図６】従来のレンズキャップ用紐の構成の一例を示す図。
【考案を実施するための形態】
【００１４】
以下、図面を参照して本考案の実施の形態を説明する。
［実施形態１］
【００１５】
図１は本考案の実施形態１を示したものであり、レンズキャップ用紐１０Ａの構成を示す図である。
【００１６】
まず、カメラ３０は、撮影レンズを内蔵するレンズ鏡筒３１と、ストラップ取付金具３２と、を備えている。そして、このストラップ取付金具３２を挿通するように、カメラ用ストラップ４０がループ状に取り付けられる。
【００１７】
ここに、カメラ３０としては一眼カメラ（一眼レフレックスカメラ、一眼ミラーレスカメラ等）を想定しており、レンズ鏡筒３１はカメラ３０に対して、サイズが異なる種々のタイプが交換可能に装着されるようになっている。
【００１８】
また、レンズ鏡筒３１の先端面および周面の少なくとも一部を覆うように、レンズキャップ２０が着脱自在に取り付けられるようになっている。このレンズキャップ２０は、サイズが異なる複数のレンズ鏡筒３１に対して取り付け可能であって、例えば、皮革（人工皮革等も含む）を成型して作成した革製のレンズキャップとなっている（ただし、革製に限るものでないことは勿論である）。そして、レンズキャップ２０には、紐固定部２１を介して、レンズキャップ用紐１０Ａが取り付けられている。
【００１９】
レンズキャップ用紐１０Ａは、紐本体１１と、紐本体１１をレンズキャップ２０の紐固定部２１に固定するための基端部１１ａと、紐本体１１をカメラ側（の例えば、カメラ用ストラップ４０やストラップ取付金具３２など）に取り付けるための先端ループ部１１ｂと、基端部１１ａから先端ループ部１１ｂのカメラ側取付位置までの紐本体１１の長さ（以下では適宜、紐長さという）を調整するための調整機構と、を備えている。
【００２０】
本実施形態の構成においては、基端部１１ａおよび先端ループ部１１ｂは、紐本体１１に設けられている。すなわち、紐本体１１は、基端部１１ａから先端側へ向けて２本の紐として延出されており、先端部において結び目１１ｃを形成することによりループ状に構成されている。
【００２１】
そして、本実施形態の調整機構は、紐本体１１に対する係止位置を変更可能であって、係止位置を変更することにより先端ループ部１１ｂの長さを変更するための係止部材１２Ａとなっている。具体的に、係止部材１２Ａは、例えばコードストッパ等の止め金具として構成されている。
【００２２】
この係止部材１２Ａには、紐本体１１の、基端部１１ａから結び目１１ｃの間の所望の位置が係止される。そして、基端部１１ａから係止部材１２Ａにより係止された部位までが、上述したような、紐本体１１をカメラ側に取り付けるための先端ループ部１１ｂを構成している。
【００２３】
このような構成において、係止部材１２Ａが結び目１１ｃに当接する係止位置になっているときに、紐長さが最大長となる。そして、この位置から係止部材１２Ａを基端部１１ａ側に移動させることにより、紐長さが適宜に短縮される。この長さ調整は、係止部材１２Ａが基端部１１ａに近接して紐長さが概略０となる最短長まで行うことが可能である。
【００２４】
このような実施形態１によれば、レンズキャップ用紐１０Ａに紐長さを調整する調整機構を設けたために、サイズの異なる複数のレンズ鏡筒３１に対応して、邪魔にならない適切な紐長さで、レンズキャップ２０をカメラ３０の本体側に保持することが可能となる。
【００２５】
また、調整機構として、紐本体１１に対する係止位置を変更することにより先端ループ部１１ｂの長さを変更する係止部材１２Ａを用いたために、手軽に長さ調整が可能となる。
【００２６】
このとき、係止部材１２Ａとしてコードストッパを用いる場合には、長さを調整するための操作が、押圧操作によって簡単に行うことができる。
【００２７】
さらに、係止部材１２Ａが結び目１１ｃに当接する最大長から、係止部材１２Ａが基端部１１ａに近接する最短長まで、長さの調整幅が大きい利点がある。
［実施形態２］
【００２８】
図２は本考案の実施形態２を示したものであり、レンズキャップ用紐１０Ｂの構成を示す図である。この実施形態２において、上述の実施形態１と同様である部分については同一の符号を付すなどして説明を適宜省略し、主として異なる点についてのみ説明する。なお、図２には、レンズキャップ用紐１０Ｂが２つの異なる長さになっているときの様子を、図示位置を変えて示している。
【００２９】
上述した実施形態１においては、係止部材１２Ａによって係止される紐が、基端側と先端側との何れも２本であったが、本実施形態は、基端側が１本、先端側が２本となっている。
【００３０】
すなわち、本実施形態におけるレンズキャップ用紐１０Ｂは、紐本体１１が、基端部１１ａにおいて１本の紐としてレンズキャップ２０の紐固定部２１に固定され、コードストッパ等で構成されている係止部材１２Ａによって係止可能に挿通された後に、ループを描くことで先端ループ部１１ｂを形成し、ループの戻り部分を係止部材１２Ａに固定することによって構成されている。
【００３１】
このような構成において、係止部材１２Ａが先端側に移動して先端ループ部１１ｂが最小のループとなっているときに、紐長さが最大長となる。また、係止部材１２Ａが基端部１１ａに近接する位置まで移動して先端ループ部１１ｂが最大のループとなっているときに、紐長さが上述した最大長の概略１／２の最短長となる。
【００３２】
このような実施形態２によれば、上述した実施形態１とほぼ同様の効果を奏するとともに、係止部材１２Ａが先端ループ部１１ｂと基端部１１ａとの間に位置する配置となるために、カメラ取付位置（例えば、カメラ用ストラップ４０等への取付位置）よりも撮影者側に係止部材１２Ａや上述した結び目１１ｃが延出されることがなく、カメラ３０を把持したり運搬したりする際に邪魔になり難い利点がある。
［実施形態３］
【００３３】
図３は本考案の実施形態３を示したものであり、レンズキャップ用紐１０Ｃの構成を示す図である。この実施形態３において、上述の実施形態１，２と同様である部分については同一の符号を付すなどして説明を適宜省略し、主として異なる点についてのみ説明する。
【００３４】
本実施形態は、調整機構として伸縮自在な伸縮部１２Ｃを用いたものとなっている。
【００３５】
すなわち、本実施形態におけるレンズキャップ用紐１０Ｃは、基端部１１ａと、紐本体１１を兼ねた伸縮部１２Ｃと、先端ループ部１１ｂと、を備えている。
【００３６】
まず、基端部１１ａは、ループ状をなすように紐本体１１とは別体に構成され、ループの基端側においてレンズキャップ２０の紐固定部２１に固定されている。ただし、基端部１１ａを紐本体１１と一体に構成しても構わない。
【００３７】
調整機構は、基端部１１ａと先端ループ部１１ｂとの間において、紐本体１１に設けられた伸縮部１２Ｃとなっており、伸縮部１２Ｃの基端側に設けられたループ１１ｄが基端部１１ａのループに対して連結されている。この伸縮部１２Ｃは、引張力を受けて伸張し、引張力がないと自然長に復帰するものであり、例えばスパイラルコードとして構成されている。ただし、スパイラルコードに限定されるものではなく、伸縮性のある紐であれば、ゴム紐やその他の適宜の紐を用いても良い。
【００３８】
先端ループ部１１ｂは、例えば伸縮部１２Ｃと一体となるように紐本体１１に設けられているが、伸縮部１２Ｃとは別体となるように構成しても構わない。
【００３９】
このような実施形態３によれば、上述した実施形態１，２とほぼ同様の効果を奏するとともに、紐本体１１が伸縮部１２Ｃを兼ねるようにしたために、係止部材１２Ａを用いる場合のような、レンズ鏡筒３１のサイズに合わせた手動調整が不要になる利点がある。
［実施形態４］
【００４０】
図４は本考案の実施形態４を示したものであり、レンズキャップ用紐１０Ｄの構成を示す図である。この実施形態４において、上述の実施形態１〜３と同様である部分については同一の符号を付すなどして説明を適宜省略し、主として異なる点についてのみ説明する。
【００４１】
本実施形態は、調整機構として紐本体１１を自在に巻き取る巻取機構１２Ｄを用いたものとなっている。
【００４２】
すなわち、本実施形態におけるレンズキャップ用紐１０Ｄは、基端部１１ａおよび先端ループ部１１ｂを有する紐本体１１と、巻取機構１２Ｄと、を備えている。ただし、基端部１１ａと先端ループ部１１ｂとの何れか一方は、紐本体１１と別体に設けても構わない。
【００４３】
巻取機構１２Ｄは、例えばコード巻取として構成されていて、紐本体１１を任意の位置まで引き出したところで係止することができ、紐本体１１を少し引張してから離すことにより紐本体１１を自動的に巻き取るものとなっている。
【００４４】
このような実施形態４によれば、上述した実施形態１〜３とほぼ同様の効果を奏するとともに、コードストッパ等の係止部材１２Ａを用いる場合のような押圧操作を不要として、簡単な操作で紐本体１１を巻き取ることができる。さらに、必要に応じて最短長まで巻き取ることで、レンズキャップ用紐１０Ｄがほとんど邪魔にならない状態を手軽に実現することができる。
［実施形態５］
【００４５】
図５は本考案の実施形態５を示したものであり、レンズキャップ用紐１０Ｅの構成を示す図である。この実施形態５において、上述の実施形態１〜４と同様である部分については同一の符号を付すなどして説明を適宜省略し、主として異なる点についてのみ説明する。なお、図５には、レンズ鏡筒３１が比較的短く、レンズ鏡筒３１の先端面だけでなく周面のほぼ全部がレンズキャップ２０に覆われる例を図示している。
【００４６】
本実施形態は、長さが異なる複数の紐本体を予め用意しておいて、所望の長さの紐本体をレンズキャップ２０に着脱可能としたものとなっている。
【００４７】
すなわち、本実施形態におけるレンズキャップ用紐１０Ｅは、基端部１１ａと、長さが異なる複数の紐本体１１Ｅ１，１１Ｅ２と、を備えている。
【００４８】
まず、基端部１１ａは、ループ状をなすように紐本体１１Ｅ１，１１Ｅ２とは別体に構成され、ループの基端側においてレンズキャップ２０の紐固定部２１に固定されている。
【００４９】
紐本体１１Ｅ１，１１Ｅ２は、それぞれ、先端ループ部１１ｂを兼ねたものとなっている。なお、図５には２種類の長さの紐本体１１Ｅ１，１１Ｅ２を示したが、長さが異なるさらに他の種類の紐本体を用意しても勿論構わない。
【００５０】
複数の先端ループ部１１ｂの各基端側に、中継部分となるフック等の金具で構成された取付部材１２Ｅが取り付けられている。この取付部材１２Ｅは、基端部１１ａに対して先端ループ部１１ｂを着脱可能に取り付けるものである。
【００５１】
そして、所望の長さの先端ループ部１１ｂが取り付けられた取付部材１２Ｅを、基端部１１ａに連結することにより、取付部材１２Ｅがレンズキャップ用紐１０Ｅの長さを調整する調整機構として機能する。
【００５２】
このような実施形態５によれば、上述した実施形態１〜４とほぼ同様の効果を奏するとともに、紐本体１１Ｅ１，１１Ｅ２を交換しない限りレンズキャップ用紐１０Ｅの長さは変化しないために、誤った操作等によって不用意に紐長さが変化するのを防止することができる。
【００５３】
なお、本考案は上述した実施形態そのままに限定されるものではなく、実施段階ではその要旨を逸脱しない範囲で構成要素を変形して具体化することができる。また、上記実施形態に開示されている複数の構成要素の適宜な組み合わせにより、種々の考案の態様を形成することができる。例えば、実施形態に示される全構成要素から幾つかの構成要素を削除しても良い。さらに、異なる実施形態にわたる構成要素を適宜組み合わせても良い。このように、考案の主旨を逸脱しない範囲内において種々の変形や応用が可能であることは勿論である。
【符号の説明】
【００５４】
１０Ａ，１０Ｂ，１０Ｃ，１０Ｄ，１０Ｅ…レンズキャップ用紐
１１，１１Ｅ１，１１Ｅ２…紐本体
１１ａ…基端部
１１ｂ…先端ループ部
１１ｃ…結び目
１１ｄ…ループ
１２Ａ…係止部材
１２Ｃ…伸縮部
１２Ｄ…巻取機構
１２Ｅ…取付部材
２０…レンズキャップ
２１…紐固定部
３０…カメラ
３１…レンズ鏡筒
３２…ストラップ取付金具
４０…カメラ用ストラップ
【図１】
0003194022.tif 000003
【図２】
0003194022.tif 000004
【図３】
0003194022.tif 000005
【図４】
0003194022.tif 000006
【図５】
0003194022.tif 000007
【図６】
0003194022.tif 000008